(57)【要約】      （修正有）【課題】寒冷地や冬季中など周囲の温度が低い環境で使用される際にも、作業者が平静に、快適な作業を行うことができる操作性の良い携帯用電気切断機を提供する。【解決手段】駆動モータに必要なレベルに制御した電力を供給する変圧手段Ａ１０又は、照明装置９に必要なレベルに調整した電力を供給するための変圧手段Ｂをハンドル部４の把持部範囲内に収納し変圧の動作による発熱で、ハンドル把持部を温める構成とした。【選択図】図１
2005271113.tif 000002
【特許請求の範囲】
【請求項１】
モータを収納するハウジングと、前記ハウジングに設けられ、前記モータの駆動を制御するスイッチを収納するハンドル部と、前記モータにより回転駆動される鋸刃と、前記ハウジングに取付けられ、前記鋸刃外周のほぼ上側半分を覆う形状をし、前記鋸刃の一部を収納する鋸刃収納部を有したソーカバーと、前記ハウジングと連結され、被切断材上を摺動可能な底面を持ち、前記鋸刃を前記底面より下方に突出可能な開口部を有するベースと、電源からの電力を必要なレベルに制御するための変圧手段を有する携帯用電気切断機であって、
前記変圧手段を前記ハンドル部の把持部範囲内に収納させたことを特徴とする携帯用電気切断機。
【請求項２】
前記変圧手段は照明装置と接続され、必要な電力を供給することを特徴とする請求項１記載の携帯用電気切断機。
【請求項３】
前記変圧手段は前記モータと接続され、必要な電力を供給することを特徴とする請求項１記載の携帯用電気切断機。
【請求項４】
前記照明装置は前記ソーカバーに取り付けられ、前記鋸刃の刃先部を照射可能であることを特徴とする請求項２記載の携帯用電気切断機。
【請求項５】
前記ベースの切断方向前方端部であって、前記鋸刃側面の延長線上の位置には刃先ガイド手段が設けられており、前記照明装置は前記刃先ガイド手段を照射可能であることを特徴とする請求項２あるいは請求項４記載の携帯用電気切断機。
【請求項６】
前記照明装置は発光ダイオードからなることを特徴とする請求項２、請求項４および請求項５のいずれか１項記載の携帯用電気切断機。
【請求項７】
前記変圧手段は変圧によって発生する熱が前記ハンドル部に伝わる度合いを制御する制御手段を備えることを特徴とする請求項１〜請求項４のいずれか１項記載の携帯用電気切断機。
【発明の詳細な説明】
【技術分野】
【０００１】
本発明は、変圧手段を有する携帯用電気切断機に関するものである。
【背景技術】
【０００２】
従来の携帯用電気切断機は、モータを収納するハウジングと、ハウジングにモータの回転軸に直行する方向に設けられ、モータの駆動を制御するスイッチを収納するハンドル部と、モータにより減速部を介して回転駆動される鋸刃と、ハウジングに取付けられ、鋸刃外周のほぼ上側半分を覆う形状をし、鋸刃の一部を収納する鋸刃収納部を有したソーカバーと、ハウジングと連結され、被切断材上を摺動可能な底面を持ち、鋸刃を底面より下方に突出可能な開口部を有するベースと、作業範囲およびその周辺を照らすためにソーカバーに設けられた照明装置、および電源からの電力を必要なレベルに制御しモータに供給する変圧手段Ａと、同様に照明装置に供給する変圧手段Ｂから構成され、変圧手段Ａおよび変圧手段Ｂはハウジング内部、または把持部を除くハンドル部内に収納されており、該ハンドル部を把持しながら切断作業を行うものである。
【０００３】
【特許文献１】特開平１１−１２９１６９号公報
【発明の開示】
【発明が解決しようとする課題】
【０００４】
上記のような構成の携帯用電気切断機は、例えば寒冷地での使用や冬季中の使用など、周囲の温度が低い環境で使用される際は、携帯用電気切断機の温度も周囲の温度並に低くなっている。この状態で作業のためにハンドル部を把持すると、手に非常に冷たい感触を与えるため、作業者に対して「平静な状態で作業できない」、「作業自体が辛い」といった負担を与える結果となっていた。
【０００５】
本発明の目的は、上記欠点を解消し、操作の良い携帯用電気切断機を提供することである。
【課題を解決するための手段】
【０００６】
上記のような問題は、変圧手段Ａおよび変圧手段Ｂのどちらか一方、または両方を前記ハンドル部の把持部範囲内に収納し、前記変圧手段Ａおよび前記変圧手段Ｂの動作によって発生する熱を前記ハンドル部の前記把持部範囲に伝達し、該把持部範囲を温めることで解決される。
【発明の効果】
【０００７】
本実施例によれば、照明装置に電力を供給するための変圧手段をハンドル部の把持部範囲内側に収納させたことによって、変圧手段の動作によって発生する熱を把持部範囲に伝えることができ、これによって、寒冷地や冬季中など周囲の温度が低い環境で使用される際にも作業者の手に冷たい感触を与えることがなく、平静に、快適な作業を行うことができる操作性の良い携帯用電気切断機を提供することができる。
【発明を実施するための最良の形態】
【０００８】
図１から図３を用いて、本発明携帯用電気切断機の一実施形態である携帯用丸鋸について説明する。
【０００９】
図に示すように、携帯用丸鋸は、モータ１を収納するハウジング２と、ハウジング２にモータ１の回転軸に直行する方向に設けられ、モータ１の駆動を制御するスイッチ３を収納するハンドル部４と、モータ１により減速部（図示しない）を介して回転駆動される鋸刃５と、ハウジング２に取付けられ、鋸刃５外周のほぼ上側半分を覆う形状をし、鋸刃５の一部を収納する鋸刃収納部を有したソーカバー６と、ハウジング２と連結され、被切断材上を摺動可能な底面７を持ち、鋸刃５を底面７より下方に突出可能な開口部（図示しない）を有するベース８と、作業範囲およびその周辺を照らすためにソーカバー６に設けられた照明装置９、および電源からの電力を必要なレベルに制御しモータ１に供給する変圧手段Ａ１０と、同様に照明装置９に供給する変圧手段Ｂ１１を備えている。
【００１０】
ベース８の前方端面で鋸刃５側面の延長線上には、作業時に墨線を合せるためのガイドである刃先ガイド手段１２が設けられている。変圧手段Ａ１０はハウジング２内部に収納されている。また、変圧手段Ｂ１１はハンドル部４の内側に収納されており、変圧手段Ｂ１１の表面には変圧手段Ｂ１１から把持部範囲１３に伝わる熱量を制御するための制御手段であるフェルト１４が貼付けられている。
【００１１】
通常、作業者は「携帯用丸鋸が電源に接続されていることが一目で分る」、「携帯用電気切断機のある場所が分り易い」という理由から、作業時のみならず作業の合間にも照明装置９を点灯したままにして置く場合がある。よって、フェルト１４を介して伝わる変圧手段Ｂ１１で発生する熱により、常に把持部範囲１３が温まった状態で作業をすることができる。
【００１２】
一般に変圧手段Ａ１０はモータ１に掛かる負荷に応じてモータ１に供給する電力を制御し、比較的大きな電流が流れるため、その発熱量も変圧手段Ｂ１１に比べて大きな物となる。よって、その熱量を適度に制御しながら把持部範囲１３に伝えることが難しく、変圧手段Ａ１０自身も適度に冷却されなければ、自らの発熱によって動作に支障を来たす恐れがあり、本実施例ではモータ１に取付けられたファン１５によって発生する風によって冷却している。したがって、本実施例では比較的発熱量の低い変圧手段Ｂ１１を把持部範囲１３を温める熱源として利用している。
【図面の簡単な説明】
【００１３】
【図１】本発明携帯用電気切断機の一実施形態を示す要部断面平面図。
【図２】本発明携帯用電気切断機の一実施形態を示す正面図。
【図３】図２の要部拡大断面図。
【符号の説明】
【００１４】
４はハンドル部、１１は変圧手段Ｂ、１３は把持部範囲、１４は制御手段であるフェルト。
【図１】
2005271113.tif 000003
【図２】
2005271113.tif 000004
【図３】
2005271113.tif 000005